(57)【特許請求の範囲】
【請求項１】
一つ以上の回転切断ヘッドを含むひげトリマーであって、前記回転切断ヘッドが移動刃と固定刃を含み、各ヘッドが冠の形の櫛によって包囲され、前記櫛が高さ調整可能であり、かつ使用時に、前記刃と皮膚の間の距離を調整し、ひげの毛の切断を所望の長さに設定することを可能にし、固定刃が、星形状半径方向切欠きを含み、前記星形状半径方向切欠きが、ひげのトリミング時に回転切断ヘッド中の毛が前記固定刃の中心に近づくときに回転切断ヘッド中の毛の侵入を容易にする、ひげトリマー。
【請求項２】
前記ひげトリマーが、一つ、二つ、又は三つの回転切断ヘッドを含む、請求項１に記載のひげトリマー。
【請求項３】
前記ひげトリマーが、回転切断ヘッドの少なくとも一つの上に中央スペーサーをさらに含む、請求項１又は２に記載のひげトリマー。
【請求項４】
櫛の高さ調整が電動化され、約１ミリメートル以内に位置されることができる、請求項１〜３のいずれかに記載のひげトリマー。
【請求項５】
前記ひげトリマーが、除去可能なカバーを含む、請求項１〜４のいずれかに記載のひげトリマー。
【請求項６】
前記冠形状の櫛が、主として金属材料から作られる、請求項１〜５のいずれかに記載のひげトリマー。
【請求項７】
前記冠形状の櫛が、除去可能なカバー内に完全に格納可能である、請求項１〜６のいずれかに記載のひげトリマー。
【請求項８】
前記櫛が、切断機構と皮膚の間の距離を０〜２０ｍｍに調整することを可能にする、請求項１〜７のいずれかに記載のひげトリマー。
【請求項９】
前記櫛が、切断機構と皮膚の間の距離を１〜１５ｍｍに調整することを可能にする、請求項１〜８のいずれかに記載のひげトリマー。
【請求項１０】
前記櫛が、切断機構と皮膚の間の距離を２〜１２ｍｍに調整することを可能にする、請求項１〜９のいずれかに記載のひげトリマー。
【発明の詳細な説明】
【技術分野】
【０００１】
本発明は、少なくとも一つ、好ましくは二つ又は三つの、垂直軸を持つ回転切断ヘッドを含むひげトリマー（ｔｒｉｍｍｅｒ）に関する。これらの回転ヘッドの切断機構は、移動刃と固定刃を備えている。各切断ヘッドは、冠の形の高さ調整可能な櫛によって包囲されている。従って、使用時には、櫛は、切断機構と皮膚の間の距離を調整してひげの切断長さを調整することを可能にする。
【背景技術】
【０００２】
従来技術のひげトリマーは、直線状に移動する刃及び固定刃を持ち、その操作は、固定刃に対して移動刃の行ったり来たりの移動に基づく。このタイプのトリマーは、一般的にひげの切断長さを調整することを可能にする櫛を備えている。かかるひげトリマーは、例えば文献ＵＳＤ６９８０８４，ＵＳ６９７８５４７，ＵＳＤ４８６２６７，ＥＰ２７６６１５３Ａ１，ＵＳＤ３６３８０９，ＵＳ２０１３００４２４８７，ＵＳ７０７６８７８，ＵＳＤ５２１６８３などに開示されている。
【０００３】
もちろん極めて短く切ったひげそりを達成することを可能にする複数の回転ヘッドを持つ電気かみそりが存在するが、これらは、ひげをトリミングするために使用されることができない。電気かみそりは、切断機構と皮膚の間の距離を調整するための櫛を持たない。しかしながら、我々が知っている限り、従来技術において回転ヘッドを有するひげトリマーはない。
【０００４】
従来技術のトリマーは、移動刃と固定刃の交差部に直線切断線を持つ。それらは、ひげの毛が一つの方向に傾斜されることが最も多いのでトリミング方向に依存して毛を異なるようにトリミングする欠点を持つ。なぜならば、ひげの毛は、皮膚に対して垂直に成長することがほとんどないからである。従って、これらのトリマーで刈り取る結果は、トリミングされるひげの上での移動方向に依存して極めて異なる。
【０００５】
文献ＵＳ４８８８８７０は、髪の毛のトリマーを記載し、その櫛は、毛をオリフィスの方に案内し、そこで毛が切断される。かかる装置は、櫛の大きな直径のために顔の皮膚と移動刃の間の安定した距離の調整を可能にしないので、もちろんひげをトリミングするために好適でない。
【発明の概要】
【０００６】
本発明は、トリミングされるひげの上でトリマーの移動方向から独立して、均質かつ均一にひげをトリミングすることを可能にする一つ以上の回転ヘッドを有するトリマーを提供することを目的とする。それは、１〜１０ｍｍ、好ましくは２〜８ｍｍの長さを有する均一にトリミングされたひげを得ることを可能にする。
【０００７】
本発明は、一つ以上の回転切断ヘッドを含むひげトリマーであって、前記回転切断ヘッドが移動刃と固定刃を含み、各ヘッドが冠の形の櫛によって包囲され、前記櫛が高さ調整可能であり、かつ使用時に、前記刃と皮膚の間の距離を調整し、ひげの毛の切断を所望の長さに設定することを可能にする、ひげトリマーを開示する。
【０００８】
本発明の好ましい実施形態は、以下の特徴の少なくとも一つ、又はいずれかの適切な組み合わせを含む：
−  トリマーが、一つ、二つ、又は三つの回転切断ヘッドを含む；
−  トリマーが、回転切断ヘッドの少なくとも一つの上に中央スペーサーをさらに含む；
−  櫛の高さ調整が電動化され、約１ミリメートル以内に位置されることができる；
−  固定刃が、星形状半径方向切欠きを含み、ひげのトリミング時に回転切断ヘッド中の毛が前記固定刃の中心に近づくときに回転切断ヘッド中の毛の侵入を容易にする；
−  前記ひげトリマーが、除去可能なカバーを含む；
−  前記冠形状の櫛が、主として金属材料から作られる；
−  前記冠形状の櫛が、除去可能なカバー内に完全に格納可能である；
−  前記櫛が、切断機構と皮膚の間の距離を０〜２０ｍｍ、好ましくは１〜１５ｍｍ、特に好ましくは２〜１２ｍｍに調整することを可能にする。
【図面の簡単な説明】
【０００９】
【図１】図１は、三つの回転ヘッドを含む本発明によるひげトリマーを示す。回転ヘッドのまわりの冠形状の櫛は、三つの異なる調整高さで示される。例えば、これらの三つの調整は、２，６，及び１０ｍｍの毛高さを得ることを可能にする。
【００１０】
【図２】図２は、中央停止部の形のスペーサーが追加された代替部分を持つ本発明によるひげトリマーを示す。スペーサーは、三つの異なる位置で示された櫛と同じ高さに調整される。スペーサーは、櫛と同じ機能を有する。即ち、切断機構と皮膚の間の距離を維持する機能を有する。
【００１１】
【図３】図３は、中央スペーサーを有しかつ櫛の幾つかの調整高さを有する型の切断ヘッドの詳細図を示す。図は、これらの位置が得ることを可能にするひげの毛の切断長さをそれぞれ目立たせることを可能にする。スペーサーの存在は、２〜６ｍｍの切断長さのための最大精度を可能にする。
【００１２】
【図４】図４は、図３と同様の図を示すが、中央スペーサーを全く持たない実施形態である。
【００１３】
【図５ａ−５ｂ】図５ａ−５ｂは、櫛の高さ調整機構の二つの異なる図を概略的に示す。櫛の並進運動は、スライドタイプのボタンを押すことによって手動でなされることができるか、又は電動化されることができる（図示せず）。
【００１４】
【図６】図６は、切断機構の浄化を容易にすることを可能にする除去可能なカバーを有する本発明によるトリマーの三次元図を示す。
【００１５】
【図７】図７は、切断機構及び冠形状の櫛の一部の平面図を示す。
【００１６】
【図８】図８は、特に固定刃に対して移動刃を押すことを可能にするばねを有する本発明によるトリマーの切断ヘッドの分解図を示す。
【００１７】
【図９】図９は、毛が本発明による装置の切断ヘッドによって切断される機構の詳細図を示す。
【００１８】
【図１０】図１０は、二つの異なる切断高さを有する切断ヘッドの使用時の動きを示す。
【００１９】
【図１１】図１１は、構成要素の全てを有する本発明によるトリマーの三つのヘッドを持つ実施形態の分解図を示す。
【００２０】
【図１２】図１２は、一つ及び二つの回転切断ヘッドを有する本発明によるトリマーの実施形態を示す。
【００２１】
参照符号のリスト
１  垂直軸を有する円形回転ヘッド
２  移動刃
３  固定刃
４  切断ヘッドを包囲する冠形状の櫛
５  中央スペーサー（停止部）
６  除去可能なカバー
７  ひげの毛
【発明を実施するための形態】
【００２２】
従来技術のひげトリマーと違って、本発明によるトリマーは、冠形状の櫛４によって包囲された、垂直軸を有する一つ以上の円形回転ヘッド１を持ち、その高さは、１ミリメートル内で調整されることができる。この調整は、手動であるか又は電動であることができる（図示せず）。このトリマーは、回転ヘッドを有する電気ひげそりのように、ひげの上のアーチ形の移動を可能にする。このタイプの移動は、皮膚に対する傾斜にかかわらず、全ての側での毛のトリミングを開始する利点を持ち、それは、ひげの均一なトリミングをもたらす。
【００２３】
櫛４の移動は、毛を立ち上げ、それは、最終的にトリミング領域における二つの歯の間に自由に残る空間を介して外側から内側の方へ侵入する。先端に向かって徐々に細くなる櫛４の歯の特定の形状は、固定刃３と移動刃２から作られたトリミング要素に向かってひげの毛の容易な侵入を可能にする。
【００２４】
固定刃３は、半径方向の切欠きを含み、それはまた、切断機構における毛の侵入に好ましい。
【００２５】
伸縮自在の櫛４の高さは、約０〜１５ｍｍ、好ましくは０〜１２ｍｍ、特に好ましくは０〜１０ｍｍに調整されることができる。それゆえ、櫛は、トリマーが収容されるときにより少ない空間をとるようにカバー６に完全に格納可能である。これは、０ｍｍへの調整の唯一の関心事である。なぜなら、約０ｍｍの長さへ毛を単に切るためには、もちろん電気ひげそりがより適切だからである。
【００２６】
回転ヘッドを包囲するカバー５は、切断機構の浄化を容易にするために除去可能である。図６は、カバー６の除去を示す。この機能は、ひげトリミングと同じ程度に重要であり、それは、多くは週あたり１回又は２回なされるにすぎず、単純なひげそりよりかなり多い切断廃棄物を発生する。
【図１】
0006678176.tif 000002
【図２】
0006678176.tif 000003
【図３】
0006678176.tif 000004
【図４】
0006678176.tif 000005
【図５ａ−５ｂ】
0006678176.tif 000006
【図６】
0006678176.tif 000007
【図７】
0006678176.tif 000008
【図８】
0006678176.tif 000009
【図９】
0006678176.tif 000010
【図１０】
0006678176.tif 000011
【図１１】
0006678176.tif 000012
【図１２】
0006678176.tif 000013